(57)【要約】  ランダムアクセスの方法およびその装置であって、本方法は以下を含む。ユーザ装置は、ユーザ装置識別子および対応するリソース番号を含むアクセス表示メッセージ(101)を受信する。リソース番号に対応するアップリンクリソースおよびプリセット初期伝送電力を使用して、専用物理制御チャネル(DPCCH)プリアンブルが送信される(102)。取得表示が受信されたと判断された場合、ユーザ装置はアクセスで成功したと判断される(103)。本方法により、ユーザ装置は、最初に基地局にDPCCHプリアンブルを送信し、基地局から取得表示を受信して、アクセスでの成功が判断され、アクセスでの成功後、アップリンク専用物理制御情報、アップリンクデータおよび/またはフィードバック情報を含むアップリンク伝送が実行される。これにより、情報伝送の信頼性が確保され、アクセスプロセス中の遅延が減り、アップリンク探索の高速実施が保証される。
2012523185.tif 000002
【特許請求の範囲】
【請求項１】
ランダムアクセスの方法であって、
ユーザ機器(UE)によってアクセス表示メッセージを受信する段階であって、前記アクセス表示メッセージはUE識別子および対応するリソース番号を含む、段階と、
前記リソース番号に対応するアップリンクリソースおよびプリセット初期伝送電力を使用して専用物理制御チャネル(DPCCH)プリアンブルを送信する段階と、
取得表示が受信されたと前記UEが判断した場合に、アクセスが成功したと前記UEによって判断する段階と
を含む方法。
【請求項２】
前記取得表示が受信されていないと前記UEが判断した場合に、
ランプアップされた伝送電力を得るために前記初期伝送電力をランプアップする段階と、
前記UEが前記取得表示を受信するまで、前記アップリンクリソースおよび前記ランプアップされた伝送電力を使用して前記DPCCHプリアンブルを送信する段階と
をさらに含む、請求項1に記載の方法。
【請求項３】
前記初期伝送電力を前記ランプアップする段階の後、
前記DPCCHプリアンブルを送信するための前記アップリンクリソースのアップリンクスロットの数がプリセット値に達したと前記UEが判断した場合、アクセスプロセスを終了させる段階と、
前記DPCCHプリアンブルを送信するための前記アップリンクリソースのアップリンクスロットの数が前記プリセット値に達していないと前記UEが判断した場合、前記UEが前記取得表示を受信するまで、前記アップリンクリソースおよび前記ランプアップされた伝送電力を使用して前記DPCCHプリアンブルを前記送信する段階を実行する段階と
をさらに含む、請求項2に記載の方法。
【請求項４】
前記取得表示が伝送電力制御命令である、請求項1から3のいずれか一項に記載の方法。
【請求項５】
ダウンリンクフラクショナル専用物理チャネルを通じて前記取得表示が受信される、請求項1に記載の方法。
【請求項６】
ランダムアクセスの方法であって、
アクセス表示メッセージを送信する段階であって、前記アクセス表示メッセージはユーザ機器(UE)識別子および対応するリソース番号を含む、段階と、
UEによって送信された専用物理制御チャネル(DPCCH)プリアンブルが検出された場合、取得表示を前記UEに送信する段階と、
前記UEによって送信された前記DPCCHプリアンブルが検出されていない場合、前記UEに前記取得表示を送信しない、または前記DPCCHプリアンブルが検出されていないことを示す表示を前記UEに送信する段階と
を含む方法。
【請求項７】
前記取得表示は伝送電力制御命令である、請求項6に記載の方法。
【請求項８】
前記UEに前記取得表示を前記送信する段階は、前記UEにダウンリンクフラクショナル専用物理チャネルを通じて前記取得表示を送信する段階を含む、請求項6に記載の方法。
【請求項９】
ランダムアクセスの装置であって、
アクセス表示メッセージを受信するように構成されたリソース受信モジュールであって、前記アクセス表示メッセージはユーザ機器(UE)識別子および対応するリソース番号を含む、リソース受信モジュールと、
前記リソース受信モジュールに接続されたプリアンブル送信モジュールであって、前記リソース番号に対応するアップリンクリソースおよびプリセット初期伝送電力を使用して専用物理制御チャネル(DPCCH)プリアンブルを送信するように構成されたプリアンブル送信モジュールと、
取得表示が受信されたときアクセスが成功したと判断するように構成されたアクセス判断モジュールと
を含む装置。
【請求項１０】
前記取得表示は伝送電力制御命令である、請求項9に記載の装置。
【請求項１１】
前記プリアンブル送信モジュールおよび前記アクセス判断モジュールに接続された表示受信モジュールであって、前記プリアンブル送信モジュールが前記DPCCHプリアンブルを送信した後に前記取得表示が受信されたか否かを判断し、前記取得表示が受信されたと前記表示受信モジュールが判断した場合に、前記アクセスが成功したと判断するよう前記アクセス判断モジュールに命令するように構成された表示受信モジュールをさらに含む、請求項9に記載の装置。
【請求項１２】
前記表示受信モジュールおよび前記プリアンブル送信モジュールに接続された電力ランプモジュールであって、前記取得表示が受信されていないと前記表示受信モジュールが判断したときにランプアップされた伝送電力を得るために前記初期伝送電力をランプアップするように構成された電力ランプモジュールをさらに含み、
前記プリアンブル送信モジュールは、前記取得表示が受信されるまで、前記アップリンクリソースおよび前記ランプアップされた伝送電力を使用して前記DPCCHプリアンブルを送信するようにさらに構成された、請求項11に記載の装置。
【請求項１３】
前記電力ランプモジュール、前記プリアンブル送信モジュール、前記アクセス判断モジュールに接続された再送カウントモジュールであって、前記DPCCHプリアンブルを送信するための前記アップリンクリソースのアップリンクスロットの数がプリセット値に達したか否かを判断するように構成された再送カウントモジュールさらに含み、
前記プリアンブル送信モジュールは、前記DPCCHプリアンブルを送信するための前記アップリンクリソースのアップリンクスロットの数が前記プリセット値を超えていないと前記再送カウントモジュールが判断したときに、前記アップリンクリソースおよび前記ランプアップされた伝送電力を使用して前記DPCCHプリアンブルを送信するようにさらに構成され、
前記アクセス判断モジュールは、前記DPCCHプリアンブルを送信するための前記アップリンクリソースのアップリンクスロットの数が前記プリセット値を超えたと前記再送カウントモジュールが判断したときに、アクセスプロセスを終了させることを決定するようにさらに構成される、請求項12に記載の装置。
【請求項１４】
ランダムアクセスの装置であって、
アクセス表示メッセージを送信するように構成されたリソース情報送信モジュールであって、前記アクセス表示メッセージはユーザ機器(UE)識別子および対応するリソース番号を含む、リソース情報送信モジュールと、
UEによって送信された専用物理制御チャネル(DPCCH)プリアンブルが検出された場合に、前記UEに取得表示を送信するように構成された表示送信モジュールと
を含む装置。
【請求項１５】
前記取得表示は伝送電力制御命令である、請求項14に記載の装置。
【請求項１６】
前記UEによって送信された前記DPCCHプリアンブルが受信されたか否かを検出するように構成された検出モジュールをさらに含み、
前記UEによって送信された前記DPCCHプリアンブルが検出されていない場合に、前記表示送信モジュールは、前記UEに前記取得表示を送信しないように、または前記DPCCHプリアンブルが検出されていないことを示す表示を前記UEに送信するようにさらに構成され、
前記UEによって送信された前記DPCCHプリアンブルが検出された場合に、前記検出モジュールは、前記UEに前記取得表示を送信するよう前記表示送信モジュールに命令するようにさらに構成された、請求項14に記載の装置。
【発明の詳細な説明】
【技術分野】
【０００１】
本発明は、通信技術の分野に関し、特にランダムアクセスの方法および装置に関する。
【背景技術】
【０００２】
現在、セル順方向アクセスチャネル(CELL-FACH)状態における高速ダウンリンク共有チャネル(HS-DSCH)リソースを十分に利用し、CELL-FACH状態におけるダウンリンクスループットを増加させるため、ノードBは、ダウンリンクHS-DSCH伝送に関するフィードバックを提供する強化アップリンクアクセス(enhanced uplink access)を実行するようユーザ機器(UE)を制御することができる。このプロセスでは、ノードBは、UEに対しUE IDおよび5ビットの拡張専用チャネル(E-DCH)リソース番号を運ぶHS-DSCHに対応する共有制御チャネルの命令(HS-SCCH命令)を送信する。UEはHS-SCCH命令を受信した後、ランダムアクセスプロセスを実行しないが、所定の時間の経過後に、ハイブリッド自動再送要求(HARQ)肯定応答(ACK)/否定応答(NACK)およびチャネル品質インディケータ(CQI)フィードバックを提供するように、高速専用物理制御チャネル(HS-DPCCH)/専用物理制御チャネル(DPCCH)を伝送するために、リソース番号によって示されるアップリンクリソースの使用を開始する。
【０００３】
しかし、本発明の実施中に発明者は、少なくとも先行技術には以下の問題があることに気付いた。UEは、ノードBによって送信されたHS-SCCH命令を受信した後、アップリンク伝送の実行を直接開始するため、伝送の信頼性が確保できず、アップリンク探索(uplink search)に対する悪影響が生成され、アクセス遅延を減らすという目的を達成できない。
【発明の概要】
【発明が解決しようとする課題】
【０００４】
本発明は、ランダムアクセスの方法および装置を対象とする。UEは、アップリンク伝送を実行する前に、基地局に識別情報を送信し、基地局から取得表示を受信したときにアクセスが成功したと判断する。これにより、情報伝送の信頼性が確保され、アクセスプロセスにおける遅延が減り、アップリンク探索の高速実施が保証される。
【課題を解決するための手段】
【０００５】
前述の目的を達成するために、本発明の1つの実施形態は、ランダムアクセスの方法を提供し、本方法は以下を含む。UEは、UE識別子および対応するリソース番号を含むアクセス表示メッセージを受信する。次いでUEは、リソース番号に対応するアップリンクリソースおよびプリセット初期伝送電力を使用してDPCCHプリアンブルを送信する。そしてUEは、取得表示が受信されたと判断した場合、アクセスが成功したと判断する。
【０００６】
前述の目的を達成するために、本発明の1つの実施形態は、ランダムアクセスの方法を提供し、本方法は以下を含む。
UE識別子および対応するリソース番号を含むアクセス表示メッセージが送信される。UEによって送信されたDPCCHプリアンブルが検出された場合、取得表示がUEに送信される。UEによって送信されたDPCCHプリアンブルが検出されていない場合、取得表示がUEに送信されないか、DPCCHプリアンブルが検出されていないことを示す表示がUEに送信される。
【０００７】
前述の目的を達成するために、本発明の1つの実施形態は、ランダムアクセスの装置を提供し、本装置は以下を含む。
UE識別子および対応するリソース番号を含むアクセス表示メッセージを受信するように構成されたリソース受信モジュール。
リソース受信モジュールに接続されたプリアンブル送信モジュールであって、リソース番号に対応するアップリンクリソースおよびプリセット初期伝送電力を使用してDPCCHプリアンブルを送信するように構成されたプリアンブル送信モジュール。
取得表示が受信されたときアクセスが成功したと判断するように構成されたアクセス判断モジュール。
【０００８】
前述の目的を達成するために、本発明の1つの実施形態は、ランダムアクセスの装置を提供し、本装置は以下を含む。
UE識別子および対応するリソース番号を含むアクセス表示メッセージを送信するように構成されたリソース情報送信モジュール。
UEによって送信されたDPCCHプリアンブルが検出された場合に、UEに取得表示を送信するように構成された表示送信モジュール。
【０００９】
本発明の有益な効果は以下のとおりである。UEは、アップリンク伝送を実行する前に、基地局にDPCCHプリアンブルを送信し、基地局から取得表示を受信したときにアクセスが成功したと判断する。これにより、情報伝送の信頼性が確保され、アクセスプロセスにおける遅延が減り、アップリンク探索の高速実施が保証される。
【００１０】
添付の図面は、本発明のさらなる理解をもたらすために示され、本明細書の一部を構成しており、本発明を限定することを意図していない。
【図面の簡単な説明】
【００１１】
【図１】本発明の実施形態1に従ったランダムアクセスの方法の流れ図である。
【図２】本発明の実施形態2に従ったランダムアクセスの方法の流れ図である。
【図３】本発明の実施形態3に従ったランダムアクセスの方法の流れ図である。
【図４】本発明の実施形態4に従ったランダムアクセスの方法の流れ図である。
【図５】本発明の実施形態5に従ったランダムアクセスの装置の概略的構造図である。
【図６】本発明の実施形態6に従ったランダムアクセスの装置の概略的構造図である。
【図７】本発明の実施形態7に従ったランダムアクセスの装置の概略的構造図である。
【図８】本発明の実施形態8に従ったランダムアクセスの装置の概略的構造図である。
【発明を実施するための形態】
【００１２】
本発明の目的、技術的解決策および利点をより分かりやすくするため、本発明の実施形態について、以下では添付の図面を参照して詳述する。本明細書において、本発明の例示的実施形態および実施形態の説明は、本発明を限定する代わりに、本発明を説明することを意図しているに過ぎない。
【００１３】
本発明の実施形態は、ランダムアクセスの方法および装置を提供する。本発明について、以下では添付の図面を参照して詳述する。
【００１４】
実施形態1
本発明の1つの実施形態は、ランダムアクセスの方法を提供する。図1に示されているように、本方法は以下を含む。UEは、UE識別子および対応するリソース番号などのリソース情報を含むアクセス表示メッセージを受信する(ステップ101参照)。UEは、リソース番号に対応するアップリンクリソースおよびプリセット初期伝送電力を使用してDPCCHプリアンブルを送信する(ステップ102参照)。そして、取得表示が受信されたと判断した場合、UEはアクセスが成功したと判断する(ステップ103参照)。
【００１５】
この実施形態では、UEは基地局によって送信されたアクセス表示メッセージを受信することができる。「第3世代パートナーシッププロジェクト」(3GPP)広帯域符号分割多重接続(WCDMA)ネットワークシステムでは、UEは、ノードBによって送信されたアクセス表示メッセージを受信することができ、アクセス表示メッセージはHS-SCCH命令であってよいが、それに限定されない。実際の要件に従って他のメッセージを採用してもよい。アクセス表示メッセージで示されるアップリンクリソースは、E-DCHリソースであってよく、アクセス表示メッセージにおけるリソース番号は5ビットのE-DCHリソース番号であってよいが、これに限定されない。
【００１６】
この実施形態では、適切な初期伝送電力は、プリアンブル電力、最小電力要件および最大許容電力に従って設定されうる。
【００１７】
この実施形態では、UEは、DPCCHプリアンブルを送信した後、基地局によって返送された取得表示を受信した場合、アクセスが成功したと判断する。この方法では、アクセスが成功した後、UEは、アップリンク専用物理制御チャネル(DPCCH)制御情報、アップリンクデータおよび/またはフィードバック情報の伝送を含むアップリンク伝送を実行することができる。例えば、3GPP WCDMAネットワークシステムでは、ノードBによって送信された取得表示を受信した場合、UEはアクセスが成功したと判断する。
【００１８】
取得表示は2ビットの情報である伝送電力制御(TPC)命令であってよい。2ビットの情報は、11または00であってよいが、これに限定されず、他の情報表示を採用してもよい。
【００１９】
この実施形態からは、UEはまず基地局にDPCCHプリアンブルを送信し、基地局から取得表示を受信したときにアクセスが成功したと判断し、アクセスが成功した後に、アップリンクDPCCH制御情報、アップリンクデータおよび/またはフィードバック情報の伝送を含むアップリンク伝送を実行するこれにより、情報伝送の信頼性が確保され、アクセスプロセスにおける遅延が減り、アップリンク探索の高速実施が保証される。
【００２０】
実施形態2
本発明の1つの実施形態は、ランダムアクセスの方法を提供する。本方法について、3GPP WCDMAネットワークシステムを例にとって以下で詳述する。
【００２１】
図2に示されているように、本方法は以下のステップを含む。
【００２２】
ステップ201:UEは、ノードBによって送信されたアクセス表示メッセージを受信し、アクセス表示メッセージはUE識別子および対応するリソース番号を含む。
【００２３】
この実施形態では、UE識別子はUE IDによって表される。アクセス表示メッセージはHS-SCCH命令であってよい。アップリンクリソースはE-DCHリソースであってよく、リソース番号は5ビットのE-DCHリソース番号であってよいが、本発明はこれらに限定されない。
【００２４】
ステップ202:所定の時間に達したか否かを判断する。この実施形態では、所定の時間は、UEによって受信されたHS-SCCH命令が位置するサブフレームの開始時間から、UEがDPCCHプリアンブルを送信する時間までの時間間隔τh-dである。時間間隔τh-dは、E-DCHリソースに対応するオフセットパラメータSoffsetに関係し、以下の方程式により取得できるが、本発明はこれに限定されず、時間間隔は他の方程式によって定義できる。
τh-d = (10240 + 256×Soffset +τ0)チップ
ここで、Soffsetは、ネットワーク側によって、例えば、無線ネットワーク制御装置(RNC)によって構成でき、Soffsetの値の幅は0〜9であり、パラメータSoffsetは、各E-DCHリソース構成に含まれる。τ0=1024チップはアップリンクフレームタイミングとダウンリンクフレームタイミングとの間の固定偏差(fixed deviation)であり、チップはチップを表し、1スロット=2560チップである。
【００２５】
ステップ203:UEがステップ202で所定の時間に達したと判断した場合、UEはアクセス表示メッセージにおけるリソース番号に対応するアップリンクリソースおよびプリセット初期伝送電力を使用してDPCCHプリアンブルの送信を開始する。初期伝送電力は、プリアンブル電力、最小電力要件および最大許容電力に従って設定されうる。
【００２６】
ステップ204:DPCCHプリアンブルの送信の開始後に、UEはノードBによって送信された取得表示が受信されたか否かを判断する。ノードBによって送信された取得表示が受信された場合、ステップ205が実行される。ノードBによって送信された取得表示が受信されなかった場合、ステップ206が実行される。
【００２７】
取得表示はTPC命令であってよく、2ビットの情報、例えば11または00であってよい。UEによって最初に受信された表示情報が11または00である場合、ノードBによって送信された取得表示が受信されたとUEは判断できる。UEが表示情報を一切受信していないか、01または10である2ビットの表示情報を受信した場合、ノードBによって送信された取得表示が受信されていないとUEは判断することができる。しかし、本発明はそれに限定されず、取得表示は他の情報によって表されてよい。
【００２８】
この実施形態では、ノードBはDPCCHプリアンブルを送信するために採用されたアップリンクスロットに対応するダウンリンクフラクショナル専用物理チャネル(F-DPCH)スロットで取得表示を送信することができる。DPCCHプリアンブルの送信の開始後、UEはDPCCHプリアンブルを送信するために採用されたアップリンクスロットに対応するダウンリンF-DPCHスロットでノードBによって送信された取得表示を受信することができるが、本発明はそれに限定されない。
【００２９】
ステップ205:取得表示が受信されたと判断された場合、アクセスプロセスは終了する。
【００３０】
ステップ206:取得表示が受信されていないと判断した場合、UEはDPCCHプリアンブルを送信するための電力をランプアップし、ランプステップはネットワーク側によって構成できるが、本発明はそれに限定されない。
【００３１】
ステップ207:DPCCHプリアンブルを送信するためのスロットの数がプリセット値に達したか否かを判断する。プリセット値に達していない場合、ステップ208が実行される。プリセット値に達した場合、ステップ209が実行される。
【００３２】
この実施形態では、プリセット値は所定の最大再送回数であり、ネットワーク側によって構成できるが、本発明はそれに限定されない。
【００３３】
この実施形態では、計数用にプリアンブル再送カウンターを使用できる。電力がランプアップされるたびに、プリアンブル再送カウンターの値を1差し引くことができる。プリアンブル再送カウンターの値が0より大きい場合、プリセット値に達していない。プリアンブル再送カウンターの値が0に等しい場合、プリセット値に達している。
【００３４】
ステップ208:プリセット値に達していない場合、UEは、ランプアップされた電力を使用してDPCCHプリアンブルを送信し、取得表示が受信されるまでステップ204からステップ208のステップを繰り返し実行する。
【００３５】
ステップ209:プリセット値に達した場合、DPCCHプリアンブルの送信を停止し、現在のアクセスプロセスは終了する。
【００３６】
この実施形態では、UEはステップ205でアクセスが成功したと判断した後、DPCCHプリアンブルの送信を停止し、一方でUEはアップリンクDPCCH制御情報、アップリンクデータおよびフィードバック情報の伝送を含む伝送の実行を開始する。
【００３７】
アップリンクDPCCH制御情報の送信が開始されたとき、対応するダウンリンクF-DPCHスロットで受信された電力制御命令が受信される。DPCCH制御情報が送信されるとき、内部ループ電力制御プロセスが実行される、すなわち、DPCCH制御情報を送信するための伝送電力が、DPCCH制御情報を送信するために採用されたアップリンクスロットに対応するダウンリンクF-DPCHスロットでTPC命令に従って調整される。
【００３８】
この実施形態では、受信されたTPC命令が11である場合、取得表示の種類は、DPCCH制御情報を送信するための伝送電力を上げるよう制御することだと判断でき、受信されたTPC命令が00である場合、取得表示の種類は、DPCCH制御情報を送信するための伝送電力を下げるよう制御することだと判断できるが、本発明はそれに限定されず、その逆もある。このように、UEは、受信されたTPC命令に従って伝送電力を調整でき、調整された伝送電力を使用してDPCCH制御情報を送信できる。
【００３９】
この実施形態では、アップリンクデータはアップリンクサービスデータおよび信号を含むことができ、フィードバック情報は、ダウンリンクHS-DSCH伝送用に提供されるハイブリッド自動再送要求(HARQ)フィードバックおよびチャネル品質インディケータ(CQI)フィードバックを含むことができるが、本発明は前述のデータに限定されず、実際の要件に従って他のデータを含むこともできる。
【００４０】
この実施形態からは、UEはまず基地局に表示情報を送信し、基地局から取得表示を受信したときにアクセスが成功したと判断し、アクセスが成功した後に、アップリンクDPCCH制御情報、アップリンクデータおよび/またはフィードバック情報の伝送を含むアップリンク伝送を実行することが理解できよう。UEが取得表示を受信していないとき、UEは、ランプアップされた電力でDPCCHプリアンブルを継続的に送信するために、DPCCHプリアンブルを送信する電力をランプアップすることができる。こうして、アクセスプロセスにおける遅延が減り、アップリンク探索の高速実施が保証され、それにより遅延が減り、UEは可能な限り迅速にアップリンクフィードバックの実行を開始できる。
【００４１】
実施形態3
本発明の1つの実施形態は、ランダムアクセスの方法を提供する。図3に示されているように、本方法は以下を含む。UE IDおよび対応するリソース番号を含むアクセス表示メッセージを送信し(ステップ301参照)、UEによって送信されたDPCCHプリアンブルが検出された場合、UEに取得表示を送信する(ステップ302参照)。
【００４２】
この実施形態では、アクセス表示メッセージで示されるリソースは、E-DCHリソースであってよい。
【００４３】
この実施形態では、WCDMAネットワークシステムにおいて、UEはE-DCHアップリンクリソースを介してDPCCHプリアンブルを送信することができる。ノードBは、DPCCHプリアンブルを検出した後、DPCCHプリアンブルを送信するために採用されたアップリンクスロットに対応するダウンリンクF-DPCHスロットで取得表示を送信するが、本発明はそれに限定されない。取得表示は実施形態2で説明したとおりである。
【００４４】
ノードBはUEによって送信されたDPCCHプリアンブルを検出した後、UEに取得表示を送信でき、それによりUEは取得表示の受信後にアクセスを完了させることができることが理解できよう。
【００４５】
実施形態4
本発明の1つの実施形態は、ランダムアクセスの方法を提供する。図4に示されているように、本方法は以下を含む。UE識別子および対応するリソース番号を含むアクセス表示メッセージを送信する段階(ステップ401参照)、UEによって送信された識別情報を検出する段階(ステップ402参照)、UEによって送信されたDPCCHプリアンブルが検出された場合、UEに取得表示を送信する段階(ステップ403参照)、UEによって送信されたDPCCHプリアンブルが検出されなかった場合、UEに取得表示を送信しない、またはDPCCHプリアンブルが検出されていないことを示す表示をUEに送信する段階(ステップ404参照)。
【００４６】
この実施形態では、取得表示は、2ビットの情報、例えば11または00であるTPC命令であってよい。
【００４７】
ノードBがDPCCHプリアンブルを検出していない場合、表示情報は送信されないか、DPCCHプリアンブルが検出されていないことを示す、01または10である2ビットの情報が送信される。
【００４８】
ノードBは、アクセス表示メッセージを送信し、UEによって送信されたDPCCHプリアンブルを検出した後、取得表示をUEに送信することができ、それによりUEは、取得表示の受信後にアクセスを完了させることができることが理解できよう。UEによって送信されたDPCCHプリアンブルをノードBが検出していない場合、情報は一切送信されないか、DPCCHプリアンブルが検出されていないことを示す情報がUEに送信され、それによりUEは、DPCCHプリアンブルを送信する電力をランプアップすることができ、その結果、ランプアップされた電力でDPCCHプリアンブルを継続的に送信することができる。こうして、アクセスプロセスにおける遅延が減り、アップリンク探索の高速実施が保証され、それにより遅延が減り、UEは可能な限り迅速にアップリンクフィードバックの実行を開始できる。
【００４９】
実施形態5
本発明の1つの実施形態は、ランダムアクセスの装置を提供する。図5に示されているように、装置は、リソース受信モジュール501、プリアンブル送信モジュール502、アクセス判断モジュール503を含む。リソース受信モジュール501は、UE識別子および対応するリソース番号を含むアクセス表示メッセージを受信するように構成される。プリアンブル送信モジュール502は、リソース受信モジュール501に接続されており、リソース番号に対応するアップリンクリソースおよびプリセット初期伝送電力を使用してDPCCHプリアンブルを送信するように構成される。アクセス判断モジュール503は、取得表示が受信されたときアクセスが成功したと判断するように構成される。
【００５０】
この実施形態では、装置は、UEの物理モジュールまたはUEの論理モジュールであってよい。装置の作業プロセスは、実施形態1で説明したとおりであり、ここで再び説明することはしない。
【００５１】
実施形態から、装置は、受信されたアクセス表示メッセージに従い基地局にDPCCHプリアンブルを送信し、基地局から取得表示を受信したときにアクセスが成功したと判断し、アクセスが成功した後、アップリンクデータおよびフィードバック情報の伝送を含むアップリンク伝送を実行することが理解できよう。これにより、情報伝送の信頼性が確保され、アクセスプロセスにおける遅延が減り、アップリンク探索の高速実施が保証される。
【００５２】
実施形態6
本発明の1つの実施形態は、ランダムアクセスの装置を提供する。図6に示されているように、装置は、リソース受信モジュール501、プリアンブル送信モジュール502およびアクセス判断モジュール503を含み、この3つのモジュールの機能は実施形態5と類似しており、ここで再び説明することはしない。
【００５３】
図6に示されているように、装置はタイミングモジュール601をさらに含むことができる。タイミングモジュール601は、リソース受信モジュール501およびプリアンブル送信モジュール502に接続されており、アクセス表示メッセージが受信された後に所定の時間を超えたか否かを判断するように構成される。所定の時間を超えたと判断した場合に、タイミングモジュール601は、リソース番号に対応するアップリンクリソースおよびプリセット初期伝送電力を使用してDPCCHプリアンブルを送信するようプリアンブル送信モジュール502に命令するように構成される。所定の時間を判断するプロセスは、実施形態2のステップ202で説明したとおりであり、ここで再び説明することはしない。
【００５４】
図6に示されているように、装置は、表示受信モジュール602をさらに含むことができる。表示受信モジュール602は、プリアンブル送信モジュール502およびアクセス判断モジュール503に接続されており、プリアンブル送信モジュール502がDPCCHプリアンブルを送信した後、取得表示が受信されたか否かを判断するように構成される。取得表示が受信されたと判断した場合に、表示受信モジュール602は、アクセスが成功したと判断するようアクセス判断モジュール503に命令するように構成される。
【００５５】
こうして、アクセスが成功した後、UEは、実施形態2で説明したように、アップリンクDPCCH制御情報、アップリンクデータおよびフィードバック情報の伝送を含むアップリンク伝送を実行することができ、ここで詳細を再び説明することはしない。
【００５６】
図6で示されているように、装置は電力ランプモジュール603をさらに含む。電力ランプモジュール603は、表示受信モジュール602に接続されてよく、取得表示が受信されていないと表示受信モジュール602が判断したときに伝送電力をランプアップするように構成される。こうして、プリアンブル送信モジュール502は、取得表示が受信されたと表示受信モジュール602が判断するまで、アップリンクリソースおよびランプアップされた伝送電力を使用してDPCCHプリアンブルを送信するようにさらに構成される。
【００５７】
また、図6に示されているように、装置は再送カウントモジュール604をさらに含むことができる。再送カウントモジュール604は、電力ランプモジュール603、プリアンブル送信モジュール502およびアクセス判断モジュール503に接続されており、電力ランプモジュール603が伝送電力をランプアップした後に、DPCCHプリアンブルを送信するためのアップリンクリソースのアップリンクスロットの数がプリセット値を超えたか否かを判断するように構成される。プリアンブル送信モジュール502は、DPCCHプリアンブルを送信するためのアップリンクリソースのアップリンクスロットの数がプリセット値を超えていないと再送カウントモジュール603が判断したときに、アップリンクリソースおよびランプアップされた伝送電力を使用してDPCCHプリアンブルを送信するようにさらに構成される。アクセス判断モジュール503は、DPCCHプリアンブルを送信するためのアップリンクリソースのアップリンクスロットの数がプリセット値を超えたと再送カウントモジュール603が判断したときに、アクセスプロセスを終了することを決定するようにさらに構成される。
【００５８】
この実施形態では、装置は、UEの物理モジュールまたはUEの論理モジュールであってよい。装置の作業プロセスは、実施形態2で説明したとおりであり、ここで再び説明することはしない。
【００５９】
実施形態から、装置は、基地局に表示メッセージを送信し、基地局から取得表示を受信したときにアクセスが成功したと判断し、アクセスが成功した後、アップリンクデータおよびフィードバック情報の伝送を含むアップリンク伝送を実行することが理解できよう。UEが取得表示を受信していないとき、UEは、ランプアップされた電力でDPCCHプリアンブルを継続的に送信するために、DPCCHプリアンブルを送信する電力をランプアップすることができる。こうして、アクセスプロセスにおける遅延が減り、アップリンク探索の高速実施が保証され、それにより遅延が減り、UEは可能な限り迅速にアップリンクフィードバックの実行を開始できる。
【００６０】
実施形態7
本発明の1つの実施形態は、ランダムアクセスの装置を提供する。図7に示されているように、装置はリソース情報送信モジュール701および表示送信モジュール702を含む。リソース情報送信モジュール701は、UE識別子および対応するリソース番号を含むアクセス表示メッセージを送信するように構成される。表示送信モジュール702は、UEによって送信されたDPCCHプリアンブルが検出されたときに、UEに取得表示を送信するように構成される。
【００６１】
この実施形態では、DPCCHプリアンブルは、リソース番号によって示されたアップリンクリソースを通じてUEによって送信されたプリアンブルであるが、本発明はそれに限定されない。
【００６２】
この実施形態では、装置はノードBの物理モジュールまたはノードBの論理モジュールであってよい。装置の作業プロセスは実施形態3で説明したとおりであり、ここで再び説明することはしない。
【００６３】
この実施形態では、取得表示は、2ビットの情報、例えば11または00であるTPC命令であってよい。
【００６４】
ノードBはUEによって送信されたDPCCHプリアンブルを検出した後、UEに取得表示を送信することができ、それによりUEは取得表示の受信後にアクセスを完了させることができることが理解できよう。
【００６５】
実施形態8
本発明の1つの実施形態は、ランダムアクセスの装置を提供する。図8に示されているように、装置は、リソース情報送信モジュール701および表示送信モジュール702を含み、この2つのモジュールの機能は、実施形態7と類似しているため、ここで再び説明することはしない。
【００６６】
また、図8に示されているように、装置は検出モジュール801をさらに含み、表示送信モジュール702に接続されており、UEによって送信されたDPCCHプリアンブルが受信されたか否かを検出するように構成される。UEによって送信されたDPCCHプリアンブルが受信されたことを検出モジュール801が検出した場合に、表示送信モジュール702は、UEに取得表示を送信するように構成される。UEによって送信されたDPCCHプリアンブルを検出モジュール801が検出していない場合、表示送信モジュール702はUEに取得表示を送信しない、またはDPCCHプリアンブルが検出されていないことを示す表示をUEに送信する。
【００６７】
この実施形態では、DPCCHプリアンブルは、リソース番号によって示されたアップリンクリソースを通じてUEによって送信されたプリアンブルであるが、本発明はそれに限定されない。
【００６８】
この実施形態では、装置はノードBの物理モジュールまたはノードBの論理モジュールであってよい。装置の作業プロセスは実施形態4で説明したとおりであり、ここで再び説明することはしない。
【００６９】
ノードBはUEによって送信されたDPCCHプリアンブルを検出した後、UEに取得表示を送信することができ、それによりUEは取得表示の受信後にアクセスを完了させることができることが理解できよう。DPCCHプリアンブルが検出されていない場合、情報は全く送信されないか、DPCCHプリアンブルが受信されたことを示す表示が送信される。
【００７０】
実施形態の前述の説明を通じて当業者には、本発明はハードウェアによって実現でき、必要な汎用ハードウェアプラットフォームとの組み合わせでソフトウェアによっても確実に実現できることが明らかであろう。これに基づき、本発明の技術的解決策は、ソフトウェア製品の形式で具現化されうる。ソフトウェア製品は、1つの不揮発性記憶媒体(例えば、コンパクトディスク読み取り専用メモリ(CD-ROM)、ユニバーサルシリアルバス(USB)フラッシュドライブ、または取り外し可能ハードディスク)に格納でき、本発明の実施形態に従い各種方法を実行するようコンピュータ機器(例えば、パーソナルコンピュータ、サーバまたはネットワーク機器)に命令するために採用された複数の命令を含む。
【００７１】
本発明の目的、技術的解決策および有益な効果について、前述の固有の実施形態を通じて詳述してきた。上記の説明は、本発明の固有の実施形態に関するものに過ぎず、本発明の保護範囲を限定することを意図していないことが理解されよう。本発明の趣旨および原理から離れることなく行われる変更、同等の置き換えまたは改善は、本発明の保護範囲内にある。
【符号の説明】
【００７２】
501  リソース受信モジュール
502  プリアンブル送信モジュール
503  アクセス判断モジュール
601  タイミングモジュール
602  表示受信モジュール
603  電力ランプモジュール
604  再送カウントモジュール
701  リソース情報送信モジュール
702  表示送信モジュール
801  検出モジュール
【図１】
2012523185.tif 000003
【図２】
2012523185.tif 000004
【図３】
2012523185.tif 000005
【図４】
2012523185.tif 000006
【図５】
2012523185.tif 000007
【図６】
2012523185.tif 000008
【図７】
2012523185.tif 000009
【図８】
2012523185.tif 000010
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
ランダムアクセスの方法であって、
ユーザ機器(UE)によってアクセス表示メッセージを受信する段階であって、前記アクセス表示メッセージはUE識別子および対応するリソース番号を含む、段階と、
前記UEによって、前記リソース番号に対応するアップリンクリソースおよびプリセット初期伝送電力を使用して専用物理制御チャネル(DPCCH)プリアンブルを送信する段階と、
取得表示が受信されたと前記UEが判断した場合に、アクセスプロセスが成功したと前記UEによって判断する段階と
を含む方法。
【請求項２】
前記取得表示が受信されていないと前記UEが判断した場合に、
前記UEによって、ランプアップされた伝送電力を得るために前記初期伝送電力をランプアップする段階と、
前記UEによって、前記アップリンクリソースおよび前記ランプアップされた伝送電力を使用して前記DPCCHプリアンブルを送信する段階と
をさらに含む、請求項1に記載の方法。
【請求項３】
前記初期伝送電力を前記ランプアップする段階の後、
前記DPCCHプリアンブルを送信するための前記アップリンクリソースのアップリンクスロットの数がプリセット値に達したと前記UEが判断した場合、前記UEによってアクセスプロセスを終了させる段階と、
前記DPCCHプリアンブルを送信するための前記アップリンクリソースのアップリンクスロットの数が前記プリセット値に達していないと前記UEが判断した場合、前記UEが前記取得表示を受信するまで、前記UEによって、前記アップリンクリソースおよび前記ランプアップされた伝送電力を使用して前記DPCCHプリアンブルを前記送信する段階を実行する段階と
をさらに含む、請求項2に記載の方法。
【請求項４】
前記取得表示が伝送電力制御命令である、請求項1から3のいずれか一項に記載の方法。
【請求項５】
ダウンリンクフラクショナル専用物理チャネルを通じて前記取得表示が受信される、請求項1から3のいずれか一項に記載の方法。
【請求項６】
ランダムアクセスの方法であって、
基地局によってアクセス表示メッセージを送信する段階であって、前記アクセス表示メッセージはユーザ機器(UE)識別子および対応するリソース番号を含む、段階と、
UEによって送信された専用物理制御チャネル(DPCCH)プリアンブルが検出された場合、前記基地局によって取得表示を前記UEに送信する段階と、
前記UEによって送信された前記DPCCHプリアンブルが検出されていない場合、前記基地局によって前記UEに前記取得表示を送信しない、または前記DPCCHプリアンブルが検出されていないことを示す表示を前記基地局によって前記UEに送信する段階と
を含む方法。
【請求項７】
前記取得表示は伝送電力制御命令である、請求項6に記載の方法。
【請求項８】
前記UEに前記取得表示を前記送信する段階は、前記基地局によって、前記UEにダウンリンクフラクショナル専用物理チャネルを通じて前記取得表示を送信する段階を含む、請求項6に記載の方法。
【請求項９】
ランダムアクセスの装置であって、
アクセス表示メッセージを受信するように構成されたリソース受信モジュールであって、前記アクセス表示メッセージはユーザ機器(UE)識別子および対応するリソース番号を含む、リソース受信モジュールと、
前記リソース受信モジュールに接続されたプリアンブル送信モジュールであって、前記リソース番号に対応するアップリンクリソースおよびプリセット初期伝送電力を使用して専用物理制御チャネル(DPCCH)プリアンブルを送信するように構成されたプリアンブル送信モジュールと、
取得表示が受信されたときアクセスプロセスが成功したと判断するように構成されたアクセス判断モジュールと
を含む装置。
【請求項１０】
前記プリアンブル送信モジュールおよび前記アクセス判断モジュールに接続された表示受信モジュールであって、前記プリアンブル送信モジュールが前記DPCCHプリアンブルを送信した後に前記取得表示が受信されたか否かを判断し、前記取得表示が受信されたと前記表示受信モジュールが判断した場合に、前記アクセスプロセスが成功したと判断するよう前記アクセス判断モジュールに命令するように構成された表示受信モジュールをさらに含む、請求項9に記載の装置。
【請求項１１】
前記表示受信モジュールおよび前記プリアンブル送信モジュールに接続された電力ランプモジュールであって、前記取得表示が受信されていないと前記表示受信モジュールが判断したときにランプアップされた伝送電力を得るために前記初期伝送電力をランプアップするように構成された電力ランプモジュールをさらに含み、
前記プリアンブル送信モジュールは、前記アップリンクリソースおよび前記ランプアップされた伝送電力を使用して前記DPCCHプリアンブルを送信するようにさらに構成された、請求項10に記載の装置。
【請求項１２】
前記電力ランプモジュール、前記プリアンブル送信モジュール、前記アクセス判断モジュールに接続された再送カウントモジュールであって、前記DPCCHプリアンブルを送信するための前記アップリンクリソースのアップリンクスロットの数がプリセット値に達したか否かを判断するように構成された再送カウントモジュールさらに含み、
前記プリアンブル送信モジュールは、前記DPCCHプリアンブルを送信するための前記アップリンクリソースのアップリンクスロットの数が前記プリセット値を超えていないと前記再送カウントモジュールが判断したときに、前記アップリンクリソースおよび前記ランプアップされた伝送電力を使用して前記DPCCHプリアンブルを送信するようにさらに構成され、
前記アクセス判断モジュールは、前記DPCCHプリアンブルを送信するための前記アップリンクリソースのアップリンクスロットの数が前記プリセット値を超えたと前記再送カウントモジュールが判断したときに、アクセスプロセスを終了させることを決定するようにさらに構成される、請求項11に記載の装置。
【請求項１３】
前記取得表示が伝送電力制御命令である、請求項9から12のいずれか一項に記載の装置。
【請求項１４】
ランダムアクセスの装置であって、
アクセス表示メッセージを送信するように構成されたリソース情報送信モジュールであって、前記アクセス表示メッセージはユーザ機器(UE)識別子および対応するリソース番号を含む、リソース情報送信モジュールと、
UEによって送信された専用物理制御チャネル(DPCCH)プリアンブルが検出された場合に、前記UEに取得表示を送信するように構成された表示送信モジュールであって、前記UEによって送信された前記DPCCHプリアンブルが検出されていない場合に、前記UEに前記取得表示を送信しないように、または前記DPCCHプリアンブルが検出されていないことを示す表示を前記UEに送信するようにさらに構成された表示送信モジュールと
を含む装置。
【請求項１５】
前記UEによって送信された前記DPCCHプリアンブルが受信されたか否かを検出するように構成された検出モジュールをさらに含み、
前記UEによって送信された前記DPCCHプリアンブルが検出されていない場合に、前記検出モジュールは、前記UEに前記取得表示を送信しないよう、または前記DPCCHプリアンブルが検出されていないことを示す表示を前記UEに送信するよう前記表示送信モジュールに命令するようにさらに構成され、
前記UEによって送信された前記DPCCHプリアンブルが検出された場合に、前記検出モジュールは、前記UEに前記取得表示を送信するよう前記表示送信モジュールに命令するようにさらに構成された、請求項14に記載の装置。
【請求項１６】
前記取得表示は伝送電力制御命令である、請求項14または15に記載の装置。
【手続補正２】
【補正対象書類名】明細書
【補正対象項目名】００５７
【補正方法】変更
【補正の内容】
【００５７】
また、図6に示されているように、装置は再送カウントモジュール604をさらに含むことができる。再送カウントモジュール604は、電力ランプモジュール603、プリアンブル送信モジュール502およびアクセス判断モジュール503に接続されており、電力ランプモジュール603が伝送電力をランプアップした後に、DPCCHプリアンブルを送信するためのアップリンクリソースのアップリンクスロットの数がプリセット値を超えたか否かを判断するように構成される。プリアンブル送信モジュール502は、DPCCHプリアンブルを送信するためのアップリンクリソースのアップリンクスロットの数がプリセット値を超えていないと再送カウントモジュール604が判断したときに、アップリンクリソースおよびランプアップされた伝送電力を使用してDPCCHプリアンブルを送信するようにさらに構成される。アクセス判断モジュール503は、DPCCHプリアンブルを送信するためのアップリンクリソースのアップリンクスロットの数がプリセット値を超えたと再送カウントモジュール604が判断したときに、アクセスプロセスを終了することを決定するようにさらに構成される。
【国際調査報告】
2012523185.tif 000011
2012523185.tif 000012
2012523185.tif 000013
2012523185.tif 000014